(57)【要約】【課題】画像読取部やＡＤＦ機能部分を回動させたとき、原稿ガイド部材が装置の設置スペースよりはみ出すことがない。【解決手段】画像読取部の上部に配置される自動給紙部と、前記自動給紙部に回転可能に軸支される原稿トレイと、前記原稿トレイを下方向に付勢する第１のスプリングと、前記画像読取部の内部に設けられ、一端が前記原稿トレイの底面と係合するレバーと、前記レバーを介して前記原稿トレイを上方向に付勢する第２のスプリングを有する。第２のスプリングの付勢力の方が第１のスプリングの付勢力より大であるので、原稿トレイは通常時は、上方向に付勢されているが、第２のスプリングの付勢力が解かれると、原稿トレイは下方向に閉じる。【選択図】    図1
2010232809.tif 000002
【特許請求の範囲】
【請求項１】
原稿の画像を読取る画像読取部と、
前記画像読取部の上部に配置され、画像読取部に原稿を供給する自動給紙部と、
前記自動給紙部に回転可能に軸支されるとともに前記自動給紙部に給紙される原稿を載置する原稿トレイと、
前記原稿トレイを下方向に付勢する第１の付勢部材と、
前記画像読取部の内部に設けられ、一端が前記原稿トレイの底面と係合する押圧部材と、
前記押圧部材を介して前記原稿トレイを上方向に付勢する第２の付勢部材を有することを特徴とする画像処理装置。
【請求項２】
前記第２の付勢部材による前記原稿トレイを付勢する付勢力は、前記第１の付勢部材による前記原稿トレイを付勢する付勢力より大であることを特徴とする請求項１記載の画像処理装置。
【請求項３】
媒体に画像を形成する画像形成装置を有し、
前記画像読取部は、画像形成装置の上部に回転可能に軸支されることを特徴とする請求項１又は２記載の画像処理装置。
【請求項４】
前記押圧部材の他端は、前記画像読取部の底面から突出可能に設けられ、前記画像形成装置の上部から押圧されることを特徴とする請求項３記載の画像処理装置。
【請求項５】
前記第２の付勢部材は、前記押圧部材の他端を下方向にも付勢することを特徴とする請求項４記載の画像処理装置。
【請求項６】
前記画像読取部の回転により当該画像読取部の底面が前記画像形成装置から離れると、前記押圧部材の他端が前記画像読取部の底面から突出し、前記第２の付勢部材による前記原稿トレイを上方向に付勢する付勢力が解除され、前記原稿トレイが前記画像読取部に閉じる構成とすることを特徴とする請求項４記載の画像処理装置。
【請求項７】
前記自動給紙部は、前記画像読取部に回転可能に軸支されることを特徴とする請求項１又は２記載の画像処理装置。
【請求項８】
前記自動給紙部は前記読取部に給紙した読取済み原稿を、前記画像読取部のカバー上に排出する構成とすることを特徴とする請求項７記載の画像処理装置。
【請求項９】
前記画像読取部の前記カバーは前記自動給紙部と一体で回転可能であることを特徴とする請求項８記載の画像処理装置。
【請求項１０】
前記自動給紙部の回転により前記原稿トレイの底面と前記押圧部材の一端との係合が離れ、前記原稿トレイが前記画像読取部の前記カバーに閉じる構成とすることを特徴とする請求項９記載の画像処理装置。
【請求項１１】
前記原稿トレイが前記第１の付勢部材の付勢力に抗して閉じられたとき、前記原稿トレイの閉状態をロックするロック機構を有することを特徴とする請求項１乃至１０いずれか一記載の画像処理装置。
【請求項１２】
前記ロック機構は、前記自動給紙部に設けたロックレバーが前記原稿トレイの側部と係合するものであり、かつ前記自動給紙部を開くことに連動して、前記第１の付勢部材が前記原稿トレイを下方向に付勢する構成であることを特徴とする請求項１１記載の画像処理装置。
【請求項１３】
原稿の画像を読取る画像読取部と、
前記画像読取部の上部に配置され、画像読取部に原稿を供給する自動給紙部と、
前記自動給紙部に回転可能に軸支されるとともに前記自動給紙部に給紙される原稿を載置する原稿トレイと、
前記原稿トレイを開閉する駆動部を有することを特徴とする画像処理装置。
【請求項１４】
前記駆動部はソレノイドであり、通電時に原稿トレイを上方向に駆動することを特徴とする請求項１３記載の画像処理装置。
【発明の詳細な説明】
【技術分野】
【０００１】
本発明は画像読取機能を有する画像処理装置に関するものである。
【背景技術】
【０００２】
従来、プリンタ、複写機、ファクシミリ装置、スキャナ装置等の機能のうち複数の機能を有する複合機としての画像処理装置がある。このような画像処理装置は、画像読取装置と画像形成装置とからなる。画像形成装置は電子写真方式によるものがほとんどであり、画像読取装置は、フラットベットとＡＤＦ（オートドキュメントフィーダ）機能を備えたものが多い。これらの画像処理装置の画像読取装置では、フラットベットによって原稿読取を行なう一方、ＡＤＦ機能によって複数の原稿を自動的に読取る構成になっている。
【０００３】
特開２００７−９６８８９号公報（特許文献１）記載の画像処理装置は、画像形成装置の上部に画像読取装置を有する。そして、画像読取装置は装置本体の上部に開閉部材が配設されている。特許文献１は、開閉部材を開くことにより装置の重心が移動するようになっており、更に重心位置調整部材を設けることにより、複合機としてのメンテナンスの操作性を向上させるものである。
【先行技術文献】
【特許文献】
【０００４】
【特許文献１】特開２００７−９６８８９号公報
【発明の概要】
【発明が解決しようとする課題】
【０００５】
しかしながら、上記従来の装置では、装置本体の上部に設けられた画像読取装置やＡＤＦ機能部分が、端部に設けられた回転軸を中心に回動可能に設けられている。そのため、メンテナンスのために画像読取装置やＡＤＦ機能部分を回動させると、ＡＤＦ機能の原稿ガイド部材が装置の設置スペースよりはみ出し、周囲の壁等に接触してしまうという不具合があった。また、周囲の壁等に接触しないようにするためには、余分に設置スペースが必要であるという問題があった。
【０００６】
本発明が解決しようとする課題は、画像形成装置と画像読取装置を有する画像処理装置において、画像読取装置のＡＤＦ機能部分に設けられた原稿ガイド部材について、画像読取装置やＡＤＦ機能部分を回動させても、装置の設置スペースよりはみ出すことがない画像処理装置を提供することである。
【課題を解決するための手段】
【０００７】
上記課題を解決するために本発明は、原稿の画像を読取る画像読取部と、前記画像読取部の上部に配置され、画像読取部に原稿を供給する自動給紙部と、前記自動給紙部に回転可能に軸支されるとともに前記自動給紙部に給紙される原稿を載置する原稿トレイと、前記原稿トレイを下方向に付勢する第１の付勢部材と、前記画像読取部の内部に設けられ、一端が前記原稿トレイの底面と係合する押圧部材と、前記押圧部材を介して前記原稿トレイを上方向に付勢する第２の付勢部材を有することを特徴とするものである。
【発明の効果】
【０００８】
本発明によれば、前記原稿トレイを下方向に付勢する第１の付勢部材と、前記原稿トレイを前記押圧部材を介して上方向に付勢する第２の付勢部材を設けたので、適宜第１の付勢部材を作用させることにより、前記原稿トレイを閉じることができる。従って画像読取装置やＡＤＦ機能部分を回動させても、装置の設置スペースよりはみ出すことがない画像処理装置を提供することができる。
【図面の簡単な説明】
【０００９】
【図１】第１の実施の形態に関する画像読取装置の原稿トレイの開閉機構を示す説明図である。
【図２】画像処理装置のうち画像形成装置の内部構成を示す左側面から見た一部断面図である。
【図３】画像処理装置のうち画像読取装置の内部構成を示す正面から見た一部断面図である。
【図４】原稿トレイの開いた状態を斜め正面から見た画像処理装置の斜視図である。
【図５】同じく原稿トレイの開いた状態を斜め背面から見た画像処理装置の斜視図である。
【図６】画像処理装置の右側面図である。
【図７】原稿トレイの閉じた状態を斜め正面から見た画像処理装置の斜視図である。
【図８】画像処理装置の右側面図である。
【図９】第１の実施の形態に関する画像読取装置の原稿トレイの開閉機構を示す説明図である。
【図１０】原稿トレイの開閉機構を示す説明図である。
【図１１】画像読取装置の原稿トレイのロック機構を示す斜視図である。
【図１２】同じく原稿トレイのロック機構を示す説明図である。
【図１３】ＡＤＦユニットを約２５度開けた状態を示す画像処理装置の斜視図である。
【図１４】同じくＡＤＦユニットを約２５度開けた状態を示す画像処理装置の右側面図である。
【図１５】ＡＤＦユニットを約５５度開けた状態を示す画像処理装置の斜視図である。
【図１６】同じくＡＤＦユニットを約５５度開けた状態を示す画像処理装置の右側面図である。
【図１７】画像読取装置を約６５度開けた状態を示す画像処理装置の斜視図である。
【図１８】同じく画像読取装置を約６５度開けた状態を示す画像処理装置の右側面図である。
【図１９】画像読取装置とプリンタカバーを開けた状態を示す画像処理装置の斜視図である。
【図２０】同じく画像読取装置とプリンタカバーを開けた状態を示す画像処理装置の左側面図である。
【図２１】第２の実施の形態に関する画像読取装置の原稿ガイドを閉じた状態を示す画像処理装置の斜視図である。
【図２２】第２の実施の形態に関する画像処理装置の右側面図である。
【図２３】画像読取装置の原稿トレイの開閉機構を示す説明図である。
【図２４】同じく画像読取装置の原稿トレイの開閉機構を示す説明図である。
【発明を実施するための形態】
【００１０】
＜第１の実施の形態＞
以下本発明の第１の実施の形態について説明する。図２は画像処理装置１００のうち画像形成装置の内部構成を示す左側面から見た一部断面図である。画像処理装置１００は画像形成装置としてのプリンタ１と、その上部に配置される画像読取装置１０からなる。画像読取装置１０は後述するようにプリンタ１の左右両側面に設けられた側面部１１に載置されている。
【００１１】
同図において、２は用紙をプリンタ１に供給する用紙カセット、３は用紙カセット２から用紙を１枚ずつプリンタ１へ給紙する為の給紙ローラであり、ワンウェイクラッチ機能を内蔵している。４及び６は用紙の通過を検知するセンサ、５−１は用紙カセット２からの用紙に対しスキュー矯正手段を有する用紙搬送ローラ、５−２は用紙搬送ローラ５−１から搬送されて来た用紙をイメージドラムに送り込むための用紙搬送ローラ、７は用紙に画像を形成するイメージドラムと転写ローラからなる画像形成ユニット、８は画像形成ユニット７で形成された画像を用紙に定着させる為の定着ユニットであり、ヒータと加圧ローラにより構成される。９は画像が定着した用紙をプリンタ１から外部へ送り出すための排出ローラ、１２は図示しない回転軸により回動可能に軸支されたトップカバーとしてプリンタカバーである。なお、Ｌはプリンタ１に実装されている用紙カセット２から給紙された際の用紙走行ルートである。
【００１２】
画像処理装置１００のうち画像読取装置１０は、画像読取部としてのスキャナユニット１３と、スキャナユニット１３の上部に配置されたスキャナカバー１４と、ＡＤＦ機能部分としてのＡＤＦ（自動原稿給紙装置）ユニット１５を有する。画像読取装置１０は、後述するようにプリンタ１の上部の図示しない回転軸により回動可能に軸支される。
【００１３】
図３は画像処理装置１００のうち画像読取装置１０の内部構成を示す正面から見た一部断面図である。画像読取装置１０は、前述の通りプリンタ１の側面部１１に載置されるスキャナユニット１３と、スキャナユニット１３の上部に配置されスキャナユニット１３に多数枚読取原稿を自動的に順次送るＡＤＦユニット１５を有する。スキャナユニット１３は後述するようにフラットベット１３−１を有し、フラットベット１３−１はスキャナカバー１４に覆われている。スキャナユニット１３の内部には可動式の画像読取ユニット２３ａ又は２３ｂが設けられる。
【００１４】
ＡＤＦユニット１５は、読取原稿を載置する原稿ガイド部材としての原稿トレイ１６と、原稿トレイ１６に延伸して設けられる原稿サブトレイ１７を有する。原稿トレイ１６に載置された読取原稿は、ＡＤＦユニット１５によって自動的に順次スキャナユニット１３に繰り出される。更に、ＡＤＦユニット１５は、原稿トレイ１６からの読取原稿の有無を判断する用紙有無センサ１９、読取原稿を分離するＡＤＦローラ１８、原稿搬送ローラ２０、用紙の通過を検知するセンサ２１、原稿排出ローラ２２を有する。
【００１５】
２４はＡＤＦユニット１５の原稿トレイ１６に載置された読取原稿が繰り出され、給紙されて排出されるまでの原稿走行ルートである。ＡＤＦユニット１５で給紙された読取原稿は、スキャナユニット１３にある可動式の画像読取ユニット２３ａの位置で読み取られる。ＡＤＦユニット１５はスキャナユニット１３によって読取られた読取済み原稿Ｐを、前記スキャナカバー１４の上に排出する。スキャナカバー１４の上面に堆積された読取済み原稿Ｐは取り上げることができる。
【００１６】
ＡＤＦユニット１５は、スキャナカバー１４及び原稿トレイ１６、原稿サブトレイ１７と一体となって構成されている。ＡＤＦユニット１５はスキャナユニット１３の図示しない回転軸により回動可能に軸支されており、後述するようにＡＤＦユニット１５を開けると、スキャナカバー１４及び原稿トレイ１６、原稿サブトレイ１７が一体となって開かれる。ＡＤＦユニット１５を開くことによって、スキャナユニット１３のフラットベット１３−１が使用可能となり、フラットベット１３−１に読取原稿を１枚毎に載置してコピー又は原稿スキャンをすることができる。なお、可動式の前記画像読取ユニット２３は、図示の画像読取ユニット２３ｂの位置に移動すると、フラットベット１３−１での読取原稿を読取ることが可能となる。
【００１７】
次に、原稿トレイ１６の開いた状態について、図４乃至図６、図１、図１０（ａ）により説明する。原稿トレイ１６はＡＤＦユニット１５に回転可能に軸支され、原稿トレイ１６は原稿サブトレイ１７と共に一体で上下に開閉することとなる。
【００１８】
図４は原稿トレイ１６の開いた状態を斜め正面から見た画像処理装置１００の斜視図、図５は同じく原稿トレイ１６の開いた状態を斜め背面から見た画像処理装置１００の斜視図である。原稿トレイ１６が開いた状態のとき、ＡＤＦユニット１５は原稿トレイ１６に載置された読取原稿を自動的に給紙する。そして、ＡＤＦユニット１５によって自動的に排出された読取済み原稿Ｐはスキャナカバー１４の上面に堆積される。
【００１９】
図６は画像処理装置１００の右側面図である。図１は第１の実施の形態に関する画像読取装置１０の原稿トレイ１６の開閉機構を示す説明図である。図１は図６におけるＡ−Ａ断面を示す。
【００２０】
ＡＤＦユニット１５の原稿トレイ１６は、ＡＤＦユニット１５に設けられた回転軸３１を中心に回動可能である。また、原稿トレイ１６の先端には原稿サブトレイ１７が回動可能に支えられている。原稿トレイ１６に設けられた原稿サブトレイ１７の回転軸にはスプリング２９により常に矢印（ウ）方向の付勢力が与えられ、原稿トレイ１６と原稿サブトレイ１７は平面状態をなしている。原稿サブトレイ１７はスプリング２９による付勢力に抗する力が加わると、矢印（ウ）方向の逆方向に曲がる。また、原稿トレイ１６とＡＤＦユニット１５の回転軸３１には、第１の付勢部材としてのスプリング３２が同軸に設けられ、原稿トレイ１６を常に下方向である矢印（イ）方向に付勢する付勢力を備えている。
【００２１】
原稿トレイ１６は、その底面にカム形状部１６−１が設けられている。カム形状部１６−１は押圧部材としてのレバー３３と係合する。レバー３３は第２の付勢部材としてのスプリング３５により、上方向である矢印（エ）方向に付勢されている。よって原稿トレイ１６はスプリング３５による付勢力で矢印（イ）方向の逆方向に付勢される。ここで、スプリング３５による原稿トレイ１６を付勢する矢印（イ）方向の逆方向の付勢力は、前記スプリング３２による原稿トレイ１６を付勢する矢印（イ）方向の付勢力より大である。これにより、原稿トレイ１６は、カム形状部１６−１を介して、レバー３３とスプリング３５により、矢印（イ）方向の逆方向に保持される。
【００２２】
更にまた、スプリング３５の下端は、押圧部材としてのＬ字状レバー３６により保持される。次に示すように、Ｌ字状レバー３６は上下に移動可能である。よって、前記スプリング３５は、Ｌ字状レバー３６を下方向である矢印（オ）方向へも付勢している。
【００２３】
図１０は原稿トレイ１６の開閉機構を示す説明図である。同図(ａ)は原稿トレイ１６の開いた状態を示す。同図の開閉機構はＡＤＦユニット１５の下部にあるスキャナユニット１３の内部に設けられている。Ｌ字状レバー３６は板状をなし、その下端３６−１はスキャナユニット１３の底面から突出可能に設けられ、通常時はプリンタ１の前記側面部１１の上面に押圧されているのでスキャナユニット１３の底面から突出していない。
【００２４】
Ｌ字状レバー３６の中央部には、垂直に形成された２本のスリット３６−２が設けられ、スリット３６−２には、スキャナユニット１３に固定されたピン３４が貫通することにより、Ｌ字状レバー３６の移動は上下方向即ち、矢印（エ）及び（オ）方向のみに規制される。Ｌ字状レバー３６の右端３６−３は前記スプリング３５を支持し、スプリング３５の上端はレバー３３が設けられる。レバー３３はＡＤＦユニット１５に設けられた図示しない孔を貫通する。
【００２５】
画像読取装置１０がプリンタ１の側面部１１の上面に載置されている状態なので、レバー３６の下端３６−１はプリンタ１の側面部１１によって下から押される。そして、スプリング３５の付勢力により、レバー３３は上方向即ち、矢印（エ）方向に移動する。レバー３３の上端は、原稿トレイ１６の底面片側に設けられた前記カム形状部１６−１と接し、原稿トレイ１６を押上げる。こうして、原稿トレイ１６はスプリング３５の付勢力を受け、開いた状態になる。なお、レバー３３は規制部材３３−１によって所定の位置で上昇が規制される。
【００２６】
次に、原稿トレイ１６の閉じた状態について、図７乃至図９、図１０（ｂ）により説明する。
【００２７】
図７は原稿トレイ１６の閉じた状態を斜め正面から見た画像処理装置１００の斜視図である。同図に示すように、手動により、原稿トレイ１６が閉じることによって、原稿トレイ１６はスキャナカバー１４の上面に接触することになる。この状態でスキャナカバー１４と一体のＡＤＦユニット１５を開いた後、フラットベット１３−１を使って原稿１枚毎にコピー又は原稿スキャンすることができる。
【００２８】
これにより、原稿トレイ１６よりＡＤＦユニット１５へ読取原稿を搬送することはできないため、スキャナカバー１４は、ＡＤＦユニット１５によって搬送される読取済み原稿Ｐをその上面に堆積することはない。しかしながら、スキャナカバー１４の上面に原稿トレイ１６が接触することにより、スキャナカバー１４の上面に堆積して取り忘れた読取済み原稿Ｐに対して、原稿トレイ１６がこれを押さえることになる。また、原稿トレイ１６が閉じられているため、後述するようにスキャナユニット１３又はＡＤＦユニット１５を開いた場合、原稿トレイ１６及び原稿サブトレイ１７が画像処理装置１００の設置スペースよりはみ出すことがなくなる。原稿トレイ１６は、スキャナカバー１４に設けられた後述する棒状ロックレバー３７等によってスキャナカバー１４にロックされる。
【００２９】
図８は画像処理装置１００の右側面図である。図９は第１の実施の形態に関する画像読取装置１０の原稿トレイ１６の開閉機構を示す説明図である。図９は図８におけるＢ−Ｂ断面を示す。原稿トレイ１６が閉じられると、原稿トレイ１６の底面に設けられた前記カム形状部１６−１を介して、レバー３３は矢印（オ）方向に押され、レバー３３はスプリング３５を押付ける。
【００３０】
図１０(ｂ)は原稿トレイ１６の閉じた状態を示す。原稿トレイ１６が閉じられると、原稿トレイ１６のカム形状部１６−１はレバー３３を矢印（オ）方向に押す。これにより、スプリング３５は圧縮される。しかしながら、Ｌ字状レバー３６の下端３６−１はプリンタ１の前記側面部１１の上面に支持されているため、スプリング３５は圧縮されるだけであり、Ｌ字状レバー３６は移動しない。
【００３１】
次に、原稿トレイ１６を閉じた状態において、原稿トレイ１６をロックする機構について説明する。図１１は画像読取装置１０の原稿トレイ１６のロック機構を示す斜視図である。前述のように、原稿トレイ１６は前記スプリング３５により矢印（エ）方向に付勢され、常に上方向に開いた状態を維持している。そこで、手動によりスプリング３５の付勢力に抗して原稿トレイ１６を矢印（イ）方向に回動させると、同図に示すように原稿トレイ１６は、前記回転軸３１を中心に回動することにより、スキャナカバー１４の上面に接触する。原稿トレイ１６から延伸している原稿サブトレイ１７も同様にスキャナカバー１４の上面に接触する。そのとき次に示すように、スキャナカバー１４の側部に設けたロックレバー３７が原稿トレイ１６の側部と係合することにより、原稿トレイ１６はロックされる。
【００３２】
図１２は同じく原稿トレイ１６のロック機構を示す説明図である。同図（ａ）は図１１の一部を拡大した説明図であり、同図（ｂ）は組み立て斜視図を示す。棒状ロックレバー３７はスキャナカバー１４に固定された軸４０を中心に矢印Ｅ及びＦ方向に回転可能である。一方の扇状ロックレバー３８も軸４０を中心に矢印Ｅ及びＦ方向に回転可能である。両者の間に設けられたスプリング３９も軸４０を中心に設けられる。
【００３３】
スプリング３９の一端３９−１は、棒状ロックレバー３７の係合部３７−１と係合し、棒状ロックレバー３７を矢印Ｅ方向へ付勢する。そして、スプリング３９の他端３９−２は、扇状ロックレバー３８の係合部３８−２と係合し、扇状ロックレバー３８を矢印Ｆ方向へ付勢する。更に、棒状ロックレバー３７の先端は爪部３７−２を有する。スプリング３９の付勢力によって、矢印Ｅ方向に付勢された棒状ロックレバー３７は、爪部３７−２が原稿トレイ１６の側部と係合することにより、原稿トレイ１６はロックされる。
【００３４】
棒状ロックレバー３７はスプリング３９によって矢印Ｅ方向に付勢されているが、スキャナカバー１４の側部がストッパとなって、図示のような垂直状態を維持する。また、扇状ロックレバー３８はスプリング３９によって矢印Ｆ方向に付勢されているが、スキャナカバー１４が閉じられているときは、スキャナユニット１３の上面に押圧して、図示のような状態を維持する。スキャナカバー１４が開かれてスキャナユニット１３の上面に接していないときは、扇状ロックレバー３８はスプリング３９の付勢力によって、矢印Ｆ方向にわずかに回転する。
【００３５】
次に、動作について説明する。図４に戻り、同図において、ＡＤＦユニット１５とスキャナユニット１３は閉じており、原稿トレイ１６は原稿サブトレイ１７と共に開いている。開いた原稿トレイ１６に一枚又は複数枚の読取原稿を載置し、ＡＤＦユニット１５を使って当該読取原稿を順次スキャナユニット１３へ送り、スキャナユニット１３はこれを読取る。
【００３６】
その後例えば、フラットベット１３−１を使って読取原稿１枚のみコピー又は原稿スキャンする場合がある。その場合、原稿トレイ１６を手動にて閉じ、前述の通り棒状ロックレバー３７等のロック機構により、原稿トレイ１６をスキャナカバー１４に一旦ロックさせる。これによりスキャナカバー１４の上面に取り忘れた読取済み原稿Ｐがある場合でも、読取済み原稿Ｐが滑り落ちることはない。その後手動にて、ＡＤＦユニット１５全体を上げる。即ち、ＡＤＦユニット１５を開けると、スキャナカバー１４及び原稿トレイ１６、原稿サブトレイ１７が一体となって開かれる。
【００３７】
図１３はＡＤＦユニット１５を約２５度開けた状態を示す画像処理装置１００の斜視図であり、図１４は同じくＡＤＦユニット１５を約２５度開けた状態を示す画像処理装置１００の右側面図である。まず、前述の通り、スキャナカバー１４が開かれてスキャナユニット１３の上面に接しなくなると、前記扇状ロックレバー３８はスプリング３９の付勢力によって、矢印Ｆ方向にわずかに回転する。そうすると、スプリング３９の矢印Ｅ方向の付勢力は弱まり、棒状ロックレバー３７の爪部３７−２が原稿トレイ１６と係合が外れることになる。
【００３８】
原稿トレイ１６は棒状ロックレバー３７との係合が外れると、前記スプリング３５の付勢力によって、矢印（イ）方向の逆方向に上昇する。更に、ＡＤＦユニット１５がその後約２０度に開くと、図１０(ａ)に示す原稿トレイ１６の前記カム形状部１６−１の位置より更に上昇して、前記レバー３３も前記スプリング３５の付勢力によって矢印（エ）方向に上昇する。レバー３３は規制部材３３−１によって所定の位置で上昇が規制される。従って、ＡＤＦユニット１５の開度が約２５度を過ぎると、レバー３３の上昇はカム形状部１６−１の上昇に届かなくなり、カム形状部１６−１はレバー３３との係合から離れようとする。しかしながら、スプリング３２の付勢力によって、原稿トレイ１６は矢印（イ）方向に押さえられ、図１３及び図１４に示す状態となる。
【００３９】
図１５はＡＤＦユニット１５を約５５度開けた状態を示す画像処理装置１００の斜視図であり、図１６は同じくＡＤＦユニット１５を約５５度開けた状態を示す画像処理装置１００の右側面図である。両図に示すように、更にＡＤＦユニット１５を開く方向に回転すると、フラットベット１３−１のガラス面が見えるようになる。そして、原稿トレイ１６はスプリング３２によって付勢されながら、かつＡＤＦユニット１５に追従しながら開方向に動く。この状態でフラットベット１３−１を使って読取原稿１枚のみコピー又は原稿スキャンすることができる。
【００４０】
更に再度、ＡＤＦユニット１５を使ってコピー又は原稿スキャンする場合は、図１に示すようにＡＤＦユニット１５を閉じた後、原稿トレイ１６を開いて、読取原稿を原稿トレイ１６に再度載置して、コピー又は原稿スキャンをすることができる。また、その際にコピー又は原稿スキャン中に、仮にプリンタ１側で用紙ジャムが発生した場合、次に説明するように、スキャナカバー１４の上面に取り忘れた前記読取済み原稿Ｐを気にせずに操作することができる。
【００４１】
図１７は画像読取装置１０を約６５度開けた状態を示す画像処理装置１００の斜視図であり、図１８は同じく画像読取装置１０を約６５度開けた状態を示す画像処理装置１００の右側面図である。画像読取装置１０を開けると、当該スキャナユニット１３の底面がプリンタ１の前記側面部１１から離れ、両者間に空間ができる。そうすると、前記Ｌ字状レバー３６の下端３６−１はプリンタ１の側面部１１に支持されなくなるため、Ｌ字状レバー３６はスプリング３５の付勢力により矢印（オ）方向にスライドし、下端３６−１はスキャナユニット１３の底面から突出する。Ｌ字状レバー３６が矢印（オ）方向にスライドすると、スプリング３５による矢印（エ）方向の付勢力が解除され、レバー３３は矢印（オ）方向にスライドする。そうすると、原稿トレイ１６がスプリング３２の付勢力によって矢印（イ）方向に回転して、スキャナカバー１４側に押し当ることになる。
【００４２】
図１９は画像読取装置１０とプリンタカバー１２を開けた状態を示す画像処理装置１００の斜視図であり、図２０は同じく画像読取装置１０とプリンタカバー１２を開けた状態を示す画像処理装置１００の左側面図である。
【００４３】
プリンタ１のプリンタカバー１２を開けることにより、前記画像形成ユニット７やトナー／ドラム交換や用紙ジャムの削除を行うことができる。作業終了後、プリンタカバー１２を閉めて、画像読取装置１０を元の状態に戻すことによって、原稿トレイ１６が一定位置に戻ることになる。また、箱に梱包する時も、手動で原稿トレイ１６を（イ）方向に回転させて、原稿トレイ１６の側部をスキャナカバー１４のロックレバー３７に引っ掛けて、その状態で原稿トレイ１６を保持させて、梱包箱に収納すればよい。
【００４４】
以上のように第１の実施の形態によれば、前記原稿トレイ１６を下方向に付勢する第１の付勢部材としてのスプリング３２と、当該スプリング３２より強い付勢力を有し、前記原稿トレイ１６を上方向に付勢する第２の付勢部材としてのスプリング３５を設け、ＡＤＦユニット１５やスキャナユニット１３の開閉に合わせて適宜スプリング３２を作用させることにしたので、前記原稿トレイ１６を閉じることができる。また、原稿トレイ１６は回転収納して、ＡＤＦユニット１５のスキャナカバー１４に接触状態とさせることによって、画像処理装置１００の設置スペースよりはみ出すことがない。そのため、原稿トレイ１６と原稿サブトレイ１７が画像処理装置１００を設置した場所の背面の壁に衝突することがなく、更に破損を防止することが可能となる。また、スキャナカバー１４の上面に読取済み原稿Ｐを取り忘れた場合があっても、原稿トレイ１６と、これに延伸して設けた原稿サブトレイ１７によって読取済み原稿Ｐを押さえることにより原稿を落下させることなく、ＡＤＦユニット１５や、スキャナユニット１３を開閉させることが可能になる。
【００４５】
また、箱に梱包する時や、普段、ＡＤＦユニット１５が不要な際には、原稿トレイ１６を手動で（イ）方向に回転させることによって、原稿トレイ１６の一部がスキャナカバー１４のロックレバー３７に引っ掛かり、その状態で原稿トレイ１６及び原稿サブトレイ１７をスキャナカバー１４に接触状態とさせることも可能になる。
【００４６】
＜第２の実施の形態＞
次に第２の実施の形態について説明する。図２１は第２の実施の形態に関する画像読取装置５０の原稿ガイド５６を閉じた状態を示す画像処理装置２００の斜視図である。前記第１の実施の形態は、図１に示すように画像読取装置１０の待機状態では原稿ガイド１６が開いているのに対し、第２の実施の形態は、図２１に示すように画像読取装置５０の待機状態では原稿ガイド５６が閉じている。
【００４７】
同図に示すように、原稿トレイ５６を閉じることによって、原稿トレイ５６はスキャナカバー１４の上面に接触することになる。この状態でスキャナカバー１４と一体のＡＤＦユニット５５を開いた後、フラットベット１３−１を使って読取原稿１枚毎にコピー又は原稿スキャンすることができる。この状態では、原稿トレイ５６よりＡＤＦユニット５５へ読取原稿を搬送することはできないため、スキャナカバー１４は、ＡＤＦユニット５５によって搬送される読取済み原稿Ｐをその上面に堆積することはない。しかしながら、スキャナカバー１４の上面に原稿トレイ５６が接触することにより、スキャナカバー１４の上面に堆積して取り忘れた読取済み原稿Ｐに対して、原稿トレイ５６がこれを押さえることになる。また、原稿トレイ５６が閉じられているため、スキャナユニット１３又はＡＤＦユニット５５を開いた場合、原稿トレイ５６が画像処理装置２００の設置スペースよりはみ出すことがなくなる。原稿トレイ５６は、後述するソレノイド５２の作用によって開閉される。
【００４８】
図２２は第２の実施の形態に関する画像処理装置２００の右側面図であり、図２３は画像読取装置５０の原稿トレイ５６の開閉機構を示す説明図であり、図２４は同じく画像読取装置５０の原稿トレイ５６の開閉機構を示す説明図である。図２３、図２４は図２２におけるＣＣ断面を示す。
【００４９】
第１の実施の形態と同様に、ＡＤＦユニット５５の原稿トレイ５６は、ＡＤＦユニット５５に設けられた回転軸３１を中心に回動可能である。また、原稿トレイ５６の先端には原稿サブトレイ１７が回動可能に支えられている。原稿トレイ５６と原稿サブトレイ１７の回転軸にはスプリング２９により常に矢印（ウ）方向の付勢力が与えられ、原稿トレイ５６と原稿サブトレイ１７は平面状態をなしている。原稿サブトレイ１７はスプリング２９による付勢力に抗する力が加わると、矢印（ウ）方向の逆方向に曲がる。また、原稿トレイ５６とＡＤＦユニット５５の回転軸３１にはスプリング３２により常に矢印（イ）方向の付勢力を備えている。
【００５０】
第２の実施の形態において、ＡＤＦユニット５５の内部にはソレノイド５２を有し、原稿ガイド５６の一端がソレノイド５２のピン５３と回転可能な接続になっている。ソレノイド５２を通電することにより、図２４に示すように原稿ガイド５６は開いた状態となり、非通電状態では、図２３に示すように原稿ガイド５６は閉じた状態になり、原稿ガイド５６はスキャナカバー１４に接触した状態となる。
【００５１】
次に、第２の実施の形態の動作について説明する。図２３に示す待機状態において、コピー又は原稿スキャンをするために図示しない特定ボタンを押下すると、ソレノイド５２が通電されて、図２４に示すように原稿ガイド５６と原稿サブトレイ１７が矢印（ア）方向に動いて、原稿ガイド５６に読取原稿を載置することが出来る状態となる。
【００５２】
そして、複数枚の読取原稿を原稿トレイ５６に載置して、図示しないコピーボタンを押下すると、１枚ずつコピーを開始する。最終ページの読取原稿が、用紙の通過を検知するセンサ２１（図３参照）を通過して特定の時間を経過して又は特定のパルスを計数して、原稿排出ローラ２２から用紙後端が離れると、コピー又は原稿スキャン終了として、ソレノイド５２の通電が切れる。そこで、ソレノイド５２の通電が切れると、スプリング３２の付勢力によって、図２３に示すように原稿ガイド５６と原稿サブトレイ１７が矢印（イ）方向に動いて、スキャナカバー１４に接触して、スキャナカバー１４上に排出された読取済み原稿Ｐを押さえる。
【００５３】
また、仮にコピー又は原稿スキャン中にプリンタ１側で用紙ジャムが発生した場合でも、ソレノイド５２の通電が切れると、スプリング３２の付勢力によって、原稿ガイド５６と原稿サブトレイ１７が矢印（イ）方向に回転し、スキャナカバー１４に接して、スキャナカバー１４上に排出された読取済み原稿Ｐを押さえる。これにより、スキャナカバー１４に取り忘れた読取済み原稿Ｐを気にせずに画像読取装置５０を開けることができる。
【００５４】
その後、プリンタカバー１２を開けて、画像形成ユニット７やトナー／ドラム交換や用紙ジャムの削除をすることができる。作業終了後、プリンタカバー１２を閉めて、画像読取装置５０を元の状態に戻す。そして、コピー又は原稿スキャンをするための図示しない特定ボタンを再度押下すると、ソレノイド５２に通電されて原稿ガイド５６と原稿サブトレイ１７が矢印（ア）方向に動いて読取原稿を載置することが出来る状態に戻ることになる。
【００５５】
また、ＡＤＦユニット５５及び画像読取装置５０の開閉動作時は、コピー又は原稿スキャン終了以後、既に原稿ガイド５６と原稿サブトレイ１７が矢印（イ）方向に閉じているので、第１実施の形態と同様である。
【００５６】
以上のように、第２の実施の形態によれば、ソレノイド５２を使用することにより、スキャナカバー１４の上面に取り忘れた読取済み原稿Ｐがある場合でも、原稿トレイ５６と原稿サブトレイ１７の上下往復運動にて読取済み原稿Ｐを押さえることによって読取済み原稿Ｐを落下させることなく、ＡＤＦユニット５５や、画像読取装置５０を開閉させることが可能になる。また、ソレノイド５２によってＡＤＦユニット５５や画像読取装置５０の開閉に関係なく原稿ガイド５６と原稿サブトレイ１７を固定させることが可能となり、収納性を向上させることが可能となる。
【００５７】
また、前記第１実施の形態では梱包時等、普段、ＡＤＦユニット５５が不要な際には、手動で原稿トレイ１６を矢印（イ）方向に回転させることによって待避させていたが、第２実施の形態ではその必要がなく、コピー又は原稿スキャンが終了すれば以降、常に矢印（イ）方向に原稿トレイ１６を接触状態とさせることが可能となる。
【００５８】
なお、前記実施の形態に関する画像読取装置は、プリンタ、ファクシミリ装置等の画像形成装置の装置本体に対して着脱可能に装着されるものであっても、着脱不能なものであってもよい。
【符号の説明】
【００５９】
１      プリンタ
１０    画像読取装置
１００  画像処理装置
１１    側面部
１２    プリンタカバー
１３    スキャナユニット  
１３−１  フラットベット
１４    スキャナカバー
１５、５５    ＡＤＦユニット
１６、５６    原稿トレイ
１７    原稿サブトレイ  
２９    スプリング
３１    回転軸
３２    スプリング
３３    レバー
３５    スプリング
３６    Ｌ字状レバー
【図１】
2010232809.tif 000003
【図２】
2010232809.tif 000004
【図３】
2010232809.tif 000005
【図４】
2010232809.tif 000006
【図５】
2010232809.tif 000007
【図６】
2010232809.tif 000008
【図７】
2010232809.tif 000009
【図８】
2010232809.tif 000010
【図９】
2010232809.tif 000011
【図１０】
2010232809.tif 000012
【図１１】
2010232809.tif 000013
【図１２】
2010232809.tif 000014
【図１３】
2010232809.tif 000015
【図１４】
2010232809.tif 000016
【図１５】
2010232809.tif 000017
【図１６】
2010232809.tif 000018
【図１７】
2010232809.tif 000019
【図１８】
2010232809.tif 000020
【図１９】
2010232809.tif 000021
【図２０】
2010232809.tif 000022
【図２１】
2010232809.tif 000023
【図２２】
2010232809.tif 000024
【図２３】
2010232809.tif 000025
【図２４】
2010232809.tif 000026